(57)【要約】【課題】送受話器がインターホン親機に接続されているか否かを検出する。【解決手段】本発明におけるインターホン親機は、玄関子機からの呼出を検出する呼出検出回路２１と、ハンズフリー通話を行うための送受話回路２２、スピーカ２３およびマイク２４と、送受話器４による通話を行うための送受話回路２５、レシーバ４１およびマイク４２と、ハンズフリーによる通話を開始あるいは終了を検出するトークスイッチ２６と、送受話器によるフックオフあるいはフックオンを検出するフックスイッチ２７と、玄関子機との通話路を切り替える玄関子機通話路切替回路２８と、送受話器をインターホン親機に接続するための接続部２９と、それらの回路を制御するためのインターホンＣＰＵ３１ａとを有し、インターホンＣＰＵは、フックスイッチがフックオフの状態を一定時間継続した場合、送受話器がインターホン親機に接続されていないものとして検出する受話器接続検出部３０ａを有する。【選択図】図１
2004180087.tif 000002
【特許請求の範囲】
【請求項１】
住戸玄関に設置される玄関子機（１）と、前記玄関子機に接続され住戸居室に設置されるインターホン親機（２）とで構成され、
前記玄関子機は、前記インターホン親機の呼出を行うための呼出回路（１１）および呼出ボタン（１２）と、前記インターホン親機と通話を行うための送受話回路（１３）とを有し、
前記インターホン親機は、前記玄関子機からの呼出を検出する呼出検出回路（２１）と、ハンズフリー通話を行うための送受話回路（２２）、スピーカ（２３）およびマイク（２４）と、送受話器（４）による通話を行うための送受話回路（２５）、レシーバ（４１）およびマイク（４２）と、ハンズフリーによる通話を開始あるいは終了を検出するトークスイッチ（２６）と、前記送受話器によるフックオフあるいはフックオンを検出するフックスイッチ（２７）と、前記玄関子機との通話路を切り替える玄関子機通話路切替回路（２８）と、前記送受話器を前記インターホン親機に接続するための接続部（２９）と、それらの回路を制御するためのインターホンＣＰＵ（３１ａ）とを有し、
前記インターホンＣＰＵは、前記フックスイッチがフックオフの状態を一定時間継続した場合、前記送受話器が前記インターホン親機に接続されていないものとして検出する受話器接続検出部（３０ａ）を有することを特徴とするインターホン装置。
【請求項２】
住戸玄関に設置される玄関子機（１）と、前記玄関子機に接続され住戸居室に設置されるインターホン親機（２）とで構成され、
前記玄関子機は、前記インターホン親機の呼出を行うための呼出回路（１１）および呼出ボタン（１２）と、前記インターホン親機と通話を行うための送受話回路（１３）とを有し、
前記インターホン親機は、前記玄関子機からの呼出を検出する呼出検出回路（２１）と、ハンズフリー通話を行うための送受話回路（２２）、スピーカ（２３）およびマイク（２４）と、送受話器（４）による通話を行うための送受話回路（２５）、レシーバ（４１）およびマイク（４２）と、ハンズフリーによる通話を開始あるいは終了を検出するトークスイッチ（２６）と、前記送受話器によるフックオフあるいはフックオンを検出するフックスイッチ（２７）と、前記玄関子機との通話路を切り替える玄関子機通話路切替回路（２８）と、前記送受話器を前記インターホン親機に接続するための接続部（２９）と、前記インターホンＣＰＵのリセットを行う場合に用いるリセットスイッチ（３３）と、電源投入時等、任意のタイミングでリセットをかけるリセット回路（３２）と、電源投入時あるいはリセット信号受付時等の所定のタイミングから継続して前記フックスイッチが通話開始の状態を検出した場合、前記送受話器は前記インターホン親機に接続されていないものとして認識し、一定時間は前記玄関子機通話路切替回路を制御して前記玄関子機と前記インターホン親機の通話路を形成させることを回避するインターホンＣＰＵ（３１ａ）とを有することを特徴とするインターホン装置。
【請求項３】
住戸玄関に設置される玄関子機（１）と、前記玄関子機に接続され住戸居室に設置されるインターホン親機（２）とで構成され、
前記玄関子機は、前記インターホン親機の呼出を行うための呼出回路（１１）および呼出ボタン（１２）と、前記インターホン親機と通話を行うための送受話回路（１３）とを有し、
前記インターホン親機は、前記玄関子機からの呼出を検出する呼出検出回路（２１）と、ハンズフリー通話を行うための送受話回路（２２）、スピーカ（２３）およびマイク（２４）と、送受話器（４）による通話を行うための送受話回路（２５）、レシーバ（４１）およびマイク（４２）と、ハンズフリーによる通話を開始あるいは終了を検出するトークスイッチ（２６）と、前記送受話器によるフックオフあるいはフックオンを検出するフックスイッチ（２７）と、前記玄関子機との通話路を切り替える玄関子機通話路切替回路（２８）と、前記送受話器を前記インターホン親機に接続するための接続部（２９）と、それらの回路を制御するためのインターホンＣＰＵ（３１ｂ）と、使用者、インターホン親機施工者あるいは製造者が設定する設定スイッチ（３４）と、前記設定スイッチの設定状態により前記送受話器が前記インターホン親機に接続されているかを検出する受話器接続検出部（３０ｂ）とを有することを特徴とするインターホン装置。
【請求項４】
住戸玄関に設置される玄関子機（１）と、前記玄関子機に接続され住戸居室に設置されるインターホン親機（２）とで構成され、
前記玄関子機は、前記インターホン親機の呼出を行うための呼出回路（１１）および呼出ボタン（１２）と、前記インターホン親機と通話を行うための送受話回路（１３）とを有し、
前記インターホン親機は、前記玄関子機からの呼出を検出する呼出検出回路（２１）と、ハンズフリー通話を行うための送受話回路（２２）、スピーカ（２３）およびマイク（２４）と、送受話器（４）による通話を行うための送受話回路（２５）、レシーバ（４１）およびマイク（４２）と、ハンズフリーによる通話を開始あるいは終了を検出するトークスイッチ（２６）と、前記送受話器によるフックオフあるいはフックオンを検出するフックスイッチ（２７）と、前記玄関子機との通話路を切り替える玄関子機通話路切替回路（２８）と、前記送受話器を前記インターホン親機に接続するための接続部（２９）と、それらの回路を制御するためのインターホンＣＰＵ（３１ｃ）と、前記送受話器を前記インターホン親機に接続するための前記接続部の接合状態を検出する機械スイッチ（３５）と、前記機械スイッチの状態により前記送受話器が前記インターホン親機に接続されているかを検出する受話器接続検出部（３０ｃ）とを有することを特徴とするインターホン装置。
【請求項５】
住戸玄関に設置される玄関子機（１）と、前記玄関子機に接続され住戸居室に設置されるインターホン親機（２）とで構成され、
前記玄関子機は、前記インターホン親機の呼出を行うための呼出回路（１１）および呼出ボタン（１２）と、前記インターホン親機と通話を行うための送受話回路（１３）とを有し、
前記インターホン親機は、前記玄関子機からの呼出を検出する呼出検出回路（２１）と、ハンズフリー通話を行うための送受話回路（２２）、スピーカ（２３）およびマイク（２４）と、送受話器（４）による通話を行うための送受話回路（２５）、レシーバ（４１）およびマイク（４２）と、ハンズフリーによる通話を開始あるいは終了を検出するトークスイッチ（２６）と、前記送受話器によるフックオフあるいはフックオンを検出するフックスイッチ（２７）と、前記玄関子機との通話路を切り替える玄関子機通話路切替回路（２８）と、前記送受話器を前記インターホン親機に接続するための接続部（２９）と、それらの回路を制御するためのインターホンＣＰＵ（３１ｄ）と、前記送受話器を前記インターホン親機に接続するための前記接続部の接合状態を検出する送受話器接続検出回路（３６）と、前記送受話器接続検出回路により前記送受話器が前記インターホン親機に接続されているかを検出する受話器接続検出部（３０ｄ）とを有することを特徴とするインターホン装置。
【請求項６】
前記送受話器接続検出回路は、前記送受話器の接続の有無による接続部のインピーダンスの変化を検出するものであることを特徴とする請求項５記載のインターホン装置。
【発明の詳細な説明】
【０００１】
【発明の属する技術分野】
本発明は、インターホン装置に係わり、特に送受話器がインターホン親機に接続されているか否かを検出することができるインターホン装置に関する。
【０００２】
【従来の技術】
従来から、この種のインターホン装置として、玄関に設置される玄関子機と、住居居室に設置されるインターホン親機と、インターホン親機に接続可能な送受話器とを備えて成るものが知られている（例えば、特許文献１参照）。
【０００３】
図５は、このような玄関子機、インターホン親機および送受話器を有するインターホン装置のブロック図を示している。同図において、玄関子機１０は、子機スピーカ１１０、子機マイク１２０、子機ハイブリット回路１３０、呼出ボタン１４０および子機呼出検出回路１５０の各部で構成されており、インターホン親機３０は、電源供給回路３１０、第１、第２の端子３２０ａ、３２０ｂを有する通話路切替スイッチ３２０、親機ハイブリット回路３４０と比較器３５０とで構成されるボイススイッチ３３０、親機スピーカ３６０、親機マイク３７０、親機呼出検出回路３８０、インターホンＣＰＵ３９０、親機通話ボタン４００および親機モジュラージャック４１０の各部で構成されている。
【０００４】
送受話器５０は、送受話器スピーカ５１０、送受話器マイク５２０、送受話器ハイブリット回路５３０、フックスイッチ５４０、送受話器検出回路５５０および送受話器モジュラージャック５６０の各部で構成されている。
【０００５】
このように構成されたインターホン装置において、来訪者が玄関子機１０の呼出ボタン１４０を押すと、呼出信号がインターホン親機３０へ伝送され、かかる呼出信号がインターホンＣＰＵ３９０で検出されると、親機スピーカ３６０から呼出音が放音される。
【０００６】
ここで、居住者が来訪者と通話するために、送受話器５０を取り上げると、フックスイッチ５４０が切替えられ、送受話器検出回路５５０からフックオフ検出信号がインターホン親機３０へ伝送される。かかるフックオフ検出信号がインターホンＣＰＵ３９０で検出されると、インターホンＣＰＵ３９０から切替信号が通話路切替スイッチ３２０へ伝送され、この切替信号に基づいて通話路切替スイッチ３２０が親機モジュラージャック４１０（３２０ｂ）側に接続される。
【０００７】
これにより、玄関子機１０の通話機能と、インターホン親機３０や送受話器５０の通話機能との間に通話路を形成し、この通話路を介して音声信号を送受信させることができる。
【０００８】
次に、居住者が来訪者との通話を終了させるために、送受話器５０をインターホン親機３０に戻すと、フックスイッチ５４０が切替えられ、送受話器検出回路５５０からフックオン検出信号がインターホン親機３０へ伝送される。そして、フックオン検出信号がインターホンＣＰＵ３９０で検出されると、インターホンＣＰＵ３９０は送受話器５０による通話終了と認識し、これにより、インターホン親機３０は待受け状態に移行する。
【０００９】
なお、この状態において、親機通話ボタン４００を押下すれば、インターホンＣＰＵ３９０の制御によって通話路切替スイッチ３２０が第１の端子３２０ａ側に切替えるられ、これにより、居住者はハンズフリーによる通話を行うことができる。そして、居住者が来訪者との通話を終了させるために、親機通話ボタン４００を再度押下すると、インターホンＣＰＵ３９０は、ハンズフリーによる通話終了と認識し、これにより、インターホン親機３０は待受け状態に移行する。
【００１０】
【特許文献１】特開２００２−２９０５７５号公報  （段落番号「００２５」〜「００２９」、図１）
【００１１】
【発明が解決しようとする課題】
しかしながら、このような構成のインターホン装置においては、使用者、インターホン装置施工者あるいは製造者が通話手段としてハンズフリー通話のみを使用する場合と判断して、すなわち送受話器を不要と判断して、インターホン親機の接続部から送受話器を取り外してしまうと、送受話器による通話の開始を検出するフックスイッチの動作により通話開始を検出し、ひいては玄関子機と送受話器間の通話状態を継続させてしまうという難点があった。
【００１２】
本発明は、このような難点を解決するためになされたもので、使用者、インターホン装置施工者あるいは製造者が通話手段としてハンズフリー通話のみを使用する場合と判断し、インターホン親機から送受話器を取り外した場合において、インターホン親機に送受話器が接続されていない状態を検出し、ひいては玄関子機と送受話器間の通話路を閉じてインターホン親機を待受け状態に移行させることができるインターホン装置を提供することを目的とする。
【００１３】
【課題を解決するための手段】
上記の目的を達成するため、本発明のインターホン装置は、住戸玄関に設置される玄関子機と、玄関子機に接続され住戸居室に設置されるインターホン親機とで構成され、玄関子機は、インターホン親機の呼出を行うための呼出回路および呼出ボタンと、インターホン親機と通話を行うための送受話回路とを有し、インターホン親機は、玄関子機からの呼出を検出する呼出検出回路と、ハンズフリー通話を行うための送受話回路、スピーカおよびマイクと、送受話器による通話を行うための送受話回路、レシーバおよびマイクと、ハンズフリーによる通話を開始あるいは終了を検出するトークスイッチと、送受話器によるフックオフあるいはフックオンを検出するフックスイッチと、玄関子機との通話路を切り替える玄関子機通話路切替回路と、送受話器をインターホン親機に接続するための接続部と、それらの回路を制御するためのインターホンＣＰＵとを有し、インターホンＣＰＵは、フックスイッチがフックオフの状態を一定時間継続した場合、送受話器がインターホン親機に接続されていないものとして検出する受話器接続検出部を有している。
【００１４】
また、本発明のインターホン装置は、住戸玄関に設置される玄関子機と、玄関子機に接続され住戸居室に設置されるインターホン親機とで構成され、玄関子機は、インターホン親機の呼出を行うための呼出回路および呼出ボタンと、インターホン親機と通話を行うための送受話回路とを有し、インターホン親機は、玄関子機からの呼出を検出する呼出検出回路と、ハンズフリー通話を行うための送受話回路、スピーカおよびマイクと、送受話器による通話を行うための送受話回路、レシーバおよびマイクと、ハンズフリーによる通話を開始あるいは終了を検出するトークスイッチと、送受話器によるフックオフあるいはフックオンを検出するフックスイッチと、玄関子機との通話路を切り替える玄関子機通話路切替回路と、送受話器をインターホン親機に接続するための接続部と、インターホンＣＰＵのリセットを行う場合に用いるリセットスイッチと、電源投入時等、任意のタイミングでリセットをかけるリセット回路と、電源投入時あるいはリセット信号受付時等の所定のタイミングから継続してフックスイッチが通話開始の状態を検出した場合、送受話器はインターホン親機に接続されていないものとして認識し、一定時間は玄関子機通話路切替回路を制御して玄関子機とインターホン親機の通話路を形成させることを回避するインターホンＣＰＵとを有している。
【００１５】
また、本発明のインターホン装置は、住戸玄関に設置される玄関子機と、玄関子機に接続され住戸居室に設置されるインターホン親機とで構成され、玄関子機は、インターホン親機の呼出を行うための呼出回路および呼出ボタンと、インターホン親機と通話を行うための送受話回路とを有し、インターホン親機は、玄関子機からの呼出を検出する呼出検出回路と、ハンズフリー通話を行うための送受話回路、スピーカおよびマイクと、送受話器による通話を行うための送受話回路、レシーバおよびマイクと、ハンズフリーによる通話を開始あるいは終了を検出するトークスイッチと、送受話器によるフックオフあるいはフックオンを検出するフックスイッチと、玄関子機との通話路を切り替える玄関子機通話路切替回路と、送受話器をインターホン親機に接続するための接続部と、それらの回路を制御するためのインターホンＣＰＵと、使用者、インターホン親機施工者あるいは製造者が設定する設定スイッチと、設定スイッチの設定状態により送受話器がインターホン親機に接続されているかを検出する受話器接続検出部とを有している。
【００１６】
また、本発明のインターホン装置は、住戸玄関に設置される玄関子機と、玄関子機に接続され住戸居室に設置されるインターホン親機とで構成され、玄関子機は、インターホン親機の呼出を行うための呼出回路および呼出ボタンと、インターホン親機と通話を行うための送受話回路とを有し、インターホン親機は、玄関子機からの呼出を検出する呼出検出回路と、ハンズフリー通話を行うための送受話回路、スピーカおよびマイクと、送受話器による通話を行うための送受話回路、レシーバおよびマイクと、ハンズフリーによる通話を開始あるいは終了を検出するトークスイッチと、送受話器によるフックオフあるいはフックオンを検出するフックスイッチと、玄関子機との通話路を切り替える玄関子機通話路切替回路と、送受話器をインターホン親機に接続するための接続部と、それらの回路を制御するためのインターホンＣＰＵと、送受話器をインターホン親機に接続するための接続部の接合状態を検出する機械スイッチと、機械スイッチの状態により送受話器がインターホン親機に接続されているかを検出する受話器接続検出部とを有している。
【００１７】
また、本発明のインターホン装置は、住戸玄関に設置される玄関子機と、玄関子機に接続され住戸居室に設置されるインターホン親機とで構成され、玄関子機は、インターホン親機の呼出を行うための呼出回路および呼出ボタンと、インターホン親機と通話を行うための送受話回路とを有し、インターホン親機は、玄関子機からの呼出を検出する呼出検出回路と、ハンズフリー通話を行うための送受話回路、スピーカおよびマイクと、送受話器による通話を行うための送受話回路、レシーバおよびマイクと、ハンズフリーによる通話を開始あるいは終了を検出するトークスイッチと、送受話器によるフックオフあるいはフックオンを検出するフックスイッチと、玄関子機との通話路を切り替える玄関子機通話路切替回路と、送受話器を前記インターホン親機に接続するための接続部と、それらの回路を制御するためのインターホンＣＰＵと、送受話器を前記インターホン親機に接続するための前記接続部の接合状態を検出する送受話器接続検出回路と、送受話器接続検出回路により送受話器が前記インターホン親機に接続されているかを検出する受話器接続検出部とを有している。
【００１８】
また、本発明のインターホン装置における送受話器接続検出回路は、送受話器の接続の有無による接続部のインピーダンスの変化を検出するように構成されている。
【００１９】
本発明のインターホン装置によれば、インターホンＣＰＵにフックスイッチがフックオフの状態を一定時間継続した場合、送受話器がインターホン親機に接続されていないものとして検出する受話器接続検出部などが内蔵されていることから、使用者、インターホン装置施工者あるいは製造者が通話手段としてハンズフリー通話のみを使用する場合と判断し、インターホン親機から送受話器を取り外した場合において、インターホン親機に送受話器が接続されていない状態を検出し、ひいては玄関子機と送受話器間の通話路を閉じてインターホン親機を待受け状態に移行させることができる。
【００２０】
【発明の実態の形態】
以下、本発明のインターホン装置の好ましい実施の形態例について、図面を参照して説明する。ここで、図１は、本発明の第１の実施例におけるインターホン装置のブロック図を示している。
【００２１】
同図において、本発明のインターホン装置は、住戸玄関に設置される玄関子機１と、住戸居室に設置されるインターホン親機２と、インターホン親機２に接続可能な送受話器４とを備えている。ここで、玄関子機１は幹線Ｌ１を介してインターホン親機２に接続され、このインターホン親機２にはカールコードＬ２を介して送受話器４が着脱自在に接続されている。
【００２２】
玄関子機１は、インターホン親機２の呼出を行うための呼出回路１１と、呼出ボタン１２と、インターホン親機２と通話を行うための送受話回路（以下「子機送受話回路」という。）１３、スピーカ（以下「子機スピーカ」という。）１４およびマイク（以下「子機マイク」という。）１５とを備えている。ここで、呼出回路１１および子機送受話回路１３は幹線Ｌ１に接続され、呼出回路１１には呼出ボタン１２が接続され、子機送受話回路１３には子機スピーカ１４および子機マイク１５が接続されている。
【００２３】
インターホン親機２は、玄関子機１からの呼出を検出する呼出検出回路２１と、ハンズフリー通話を行うための送受話回路（以下「第１の親機送受話回路」という。）２２、スピーカ（以下「親機スピーカ」という。）２３およびマイク（以下「親機マイク」という。）２４と、送受話器４による通話を行うための送受話回路（以下「第２の親機送受話回路」という。）２５、レシーバ４１およびマイク（以下「送受話器マイク」という。）４２と、ハンズフリーによる通話の開始（フックオフ）あるいは終了（フックオン）を検出するトークスイッチ２６と、送受話器４による通話を開始（フックオフ）あるいは終了（フックオン）を検出するフックスイッチ２７と、玄関子機１との通話路を切り替える玄関子機通話路切替回路２８と、送受話器４をインターホン親機２に接続するためのモジュラージャック等の接続部２９と、受話器接続検出部（以下「第１の受話器接続検出部」という。）３０ａを内蔵し、各部（回路）を制御するためのインターホンＣＰＵ（以下「第１のインターホンＣＰＵ」という。）３１ａと、電源投入時等、任意のタイミングでリセットをかけるリセット回路３２と、第１のインターホンＣＰＵ３１ａのリセットを行う場合に用いるリセットスイッチ３３とを備えており、第１の受話器接続検出部３０ａは、フックスイッチ２７がフックオフの状態を一定時間継続した場合、送受話器４がインターホン親機２に接続されていないものとして検出する機能を有している。ここで、第１のインターホンＣＰＵ３１ａは、呼出検出回路２１、第１、第２の親機送受話回路２２、２５、トークスイッチ２６、フックスイッチ２７、玄関子機通話路切替回路２８およびリセット回路３２に接続され、リセット回路３２にはリセットスイッチ３３が接続されている。また、玄関子機通話路切替回路２８は、呼出検出回路２１、第１、第２の親機送受話回路２２、２５および幹線Ｌ１に接続され、第１の親機送受話回路２２には親機スピーカ２３および親機マイク２４が接続され、第２の親機送受話回路２５には接続部２９およびカールコードＬ２を介してレシーバ４１並びに送受話器マイク４２が接続されている。
【００２４】
次に、このように構成された本発明のインターホン装置の動作について説明する。なお、来訪者が玄関子機１の呼出ボタン１２の押下によりインターホン親機２を呼出して親機スピーカ２３より呼出音を放音し、居住者が来訪者と通話するために送受話器４を取り上げると、玄関子機１の通話機能とインターホン親機２の通話機能との間に通話路を形成しこの通話路を介して音声信号を送受信させることができる点および居住者が来訪者との通話を終了させるために送受話器４をインターホン親機２に戻すと、インターホン親機２が待受け状態に移行する点は従来のインターホン装置と同様に動作することから詳細な説明を省略し、ここでは、インターホン親機の接続部に送受話器が接続されているか否かを検出する動作について説明する。
【００２５】
先ず、使用者、インターホン親機施工者あるいは製造者が通話手段としてハンズフリー通話のみを使用する場合と判断して、インターホン親機２の接続部２９から送受話器４を取り外すと、フックスイッチ２７が切替えられ、フックスイッチ２７から送受話器４による通話を開始する信号（以下「フックオフ検出信号」という。）が第１のインターホンＣＰＵ３１ａへ伝送される。かかるフックオフ検出信号が第１のインターホンＣＰＵ３１ａで検出されると、第１のインターホンＣＰＵ３１ａから切替信号が玄関子機通話路切替回路２８へ伝送され、この切替信号により玄関子機通話路切替回路２８が第２の親機送受話回路２５側に接続される。これにより、玄関子機１とインターホン親機２間に通話路が形成される。
【００２６】
ここで、送受話器４がインターホン親機２から取り外されているため、フックスイッチ２７により、フックオフの状態が一定時間継続して検出されることになる。そして、かかるフックオフの状態が第１の受話器接続検出部３０ａにより一定時間（５分程度）継続して検出されると、送受話器４がインターホン親機２に接続されていないものとして、第１のインターホンＣＰＵ３１ａから、フックオフ検出信号が無効である旨の信号（以下「フックオフ検出無効信号」という。）が出力され、このフックオフ検出無効信号が玄関子機通話路切替回路２８へ伝送される。これにより、玄関子機通話路切替回路２８が制御され、玄関子機１とインターホン親機２間の通話路が閉じられ、待受け状態に移行する。
【００２７】
なお、前述の第１の実施例においては、第１の受話器接続検出部３０ａにより、フックスイッチ２７がフックオフの状態を一定時間継続した場合、送受話器４がインターホン親機２に接続されていないものとして玄関子機１と送受話器４間の通話路を閉じているが、次のように、第１のインターホンＣＰＵ３１ａを設定することにより、玄関子機通話路切替回路２８を制御して玄関子機１とインターホン親機２間の通話路の形成を回避するようにしてもよい。すなわち、電源投入時等、あるいは任意のタイミングでリセットスイッチ３３を押下してリセット回路３２からリセット信号を第１のインターホンＣＰＵ３１ａへ伝送し、かかるリセット信号が第１のインターホンＣＰＵ３１ａで検出された後において、フックスイッチ２７からフックオフ検出信号が一定時間（５分程度）継続して第１のインターホンＣＰＵ３１ａへ伝送された場合、第１のインターホンＣＰＵ３１ａの制御により送受話器４がインターホン親機２に接続されていないものとして第１のインターホンＣＰＵ３１ａからフックオフ検出無効信号を玄関子機通話路切替回路２８へ伝送する。これにより、玄関子機通話路切替回路２８が制御され、玄関子機１とインターホン親機２間の通話路の形成が回避される。
【００２８】
図２は、本発明の第２の実施例におけるインターホン装置のブロック図を示している。なお、同図において、図１と共通する部分には同一の符号を付して詳細な説明を省略する。
【００２９】
第２の実施例においては、図１に示す第１の受話器接続検出部３０ａを内蔵する第１のインターホンＣＰＵ３１ａに代えて、受話器接続検出部（以下「第２の第２の受話器接続検出部」という。）３０ｂを内蔵するインターホンＣＰＵ（以下「第２のインターホンＣＰＵ」という。）３１ｂが用いられ、また、第１のインターホンＣＰＵ３１ａに接続されるリセットスイッチ３３およびリセット回路３２に代えて、使用者、インターホン親機施工者あるいは製造者が設定する設定スイッチ３４が第２のインターホンＣＰＵ３１ｂに接続されている。ここで、第２の受話器接続検出部３０ｂは、設定スイッチ３４の設定状態により送受話器４がインターホン親機２に接続されているか否かを検出する機能を有している。
【００３０】
第２の実施例によれば、例えば送受話器４がインターホン親機２に接続されている場合に設定スイッチ３４がオン、送受話器４がインターホン親機２に接続されていない場合に設定スイッチ３４がオフになるように設定すれば、第２の受話器接続検出部３０ｂにより、送受話器４がインターホン親機２に接続されているか否かが検出されることから、第１の実施例と同様に、送受話器４がインターホン親機２に接続されているか否かを容易に検出することがことができる。
【００３１】
図３は、本発明の第３の実施例におけるインターホン装置のブロック図を示している。なお、同図において、図１と共通する部分には同一の符号を付して詳細な説明を省略する。
【００３２】
第３の実施例においては、図１に示す第１の受話器接続検出部３０ａを内蔵する第１のインターホンＣＰＵ３１ａに代えて、受話器接続検出部（以下「第３の受話器接続検出部」という。）３０ｃを内蔵するインターホンＣＰＵ（以下「第３のインターホンＣＰＵ」という。）３１ｃが用いられ、また、第１のインターホンＣＰＵ３１ａに接続されるリセットスイッチ３３およびリセット回路３２に代えて、送受話器４をインターホン親機２に接続するための接続部２９の接合状態を検出する機械スイッチ３５が第３のインターホンＣＰＵ３１ｃと接続部２９間に接続されている。ここで、第３の受話器接続検出部３０ｃは、機械スイッチ３５の状態により送受話器４がインターホン親機１に接続されているか否かを検出する機能を有している。
【００３３】
第３の実施例によれば、接続部２９に送受話器４のモジュラージャック（不図示）が接続されると機械スイッチ３５が動作し、かかる動作状態が第３の受話器接続検出部３０ｃで検出されることから、第１の実施例と同様に、送受話器４がインターホン親機２に接続されているか否かを検出することができる。
【００３４】
図４は、本発明の第４の実施例におけるインターホン装置のブロック図を示している。なお、同図において、図１と共通する部分には同一の符号を付して詳細な説明を省略する。
【００３５】
第４の実施例においては、図１に示す第１の受話器接続検出部３０ａを内蔵する第１のインターホンＣＰＵ３１ａに代えて、受話器接続検出部（以下「第４の受話器接続検出部」という。）３０ｄを内蔵するインターホンＣＰＵ（以下「第４のインターホンＣＰＵ」という。）３１ｄが用いられ、また、第１のインターホンＣＰＵ３１ａに接続されるリセットスイッチ３３およびリセット回路３２に代えて、送受話器４をインターホン親機２に接続するための接続部２９の接合状態を検出する送受話器接続検出回路３６が第４のインターホンＣＰＵ３１ｄと接続部２９間に接続されている。ここで、送受話器接続検出回路３６は、例えば送受話器４の接続の有無による接続部２９のインピーダンスの変化を検出するもので構成され、また、第４の受話器接続検出部３０ｄは、送受話器接続検出回路３６により送受話器４がインターホン親機２に接続されているか否かを検出する機能を有している。
【００３６】
第４の実施例によれば、送受話器４がインターホン親機２に接続されると、接続部２９のインピーダンスが変化し、かかるインピーダンスの変化が送受話器接続検出回路３６により検出されることから、第１の実施例と同様に、送受話器４がインターホン親機２に接続されているか否かを検出することができる。
【００３７】
【発明の効果】
以上の説明から明らかなように、本発明のインターホン装置によれば、インターホンＣＰＵにフックスイッチがフックオフの状態を一定時間継続した場合、送受話器がインターホン親機に接続されていないものとして検出する受話器接続検出部などが内蔵されていることから、使用者、インターホン装置施工者あるいは製造者が通話手段としてハンズフリー通話のみを使用する場合と判断し、インターホン親機から送受話器を取り外した場合において、インターホン親機に送受話器が接続されていない状態を検出し、ひいては玄関子機と送受話器間の通話路を閉じてインターホン親機を待受け状態に移行させることができる。
【図面の簡単な説明】
【図１】本発明の第１の実施例におけるインターホン装置のブロック図。
【図２】本発明の第２の実施例におけるインターホン装置のブロック図。
【図３】本発明の第３の実施例におけるインターホン装置のブロック図。
【図４】本発明の第４の実施例におけるインターホン装置のブロック図。
【図５】従来のインターホン装置のブロック図。
【符号の説明】
１…玄関子機
１１…呼出回路
１２…呼出ボタン
１３…送受話回路（子機送受話回路）
２…インターホン親機
２１…呼出検出回路
２２…送受話回路（第１の親機送受話回路）
２３…スピーカ（親機スピーカ）
２４…マイク（親機マイク）
２５…送受話回路（第２の親機送受話回路）
２６…トークスイッチ
２７…フックスイッチ
２８…玄関子機通話路切替回路
２９…接続部
３０ａ…受話器接続検出部（第１の受話器接続検出部）
３０ｂ…受話器接続検出部（第２の受話器接続検出部）
３０ｃ…受話器接続検出部（第３の受話器接続検出部）
３０ｄ…受話器接続検出部（第４の受話器接続検出部）
３１ａ…インターホンＣＰＵ（第１のインターホンＣＰＵ）
３１ｂ…インターホンＣＰＵ（第２のインターホンＣＰＵ）
３１ｃ…インターホンＣＰＵ（第３のインターホンＣＰＵ）
３１ｄ…インターホンＣＰＵ（第４のインターホンＣＰＵ）
３２…リセット回路
３３…リセットスイッチ
３４…設定スイッチ
３５…機械スイッチ
３６…送受話器接続検出回路
４…送受話器
４１…レシーバ
４２…マイク（送受話器マイク）
【図１】
2004180087.tif 000003
【図２】
2004180087.tif 000004
【図３】
2004180087.tif 000005
【図４】
2004180087.tif 000006
【図５】
2004180087.tif 000007